(57)【要約】【課題】放熱板の一部がケースの開口部を介してケースと表面材との間に取り付けられ、ケース外部に熱を放出している構成であっても、ケース上の表面材の表面温度が所定の温度以上に上昇することがない面状採暖具を提供することを目的とする。【解決手段】発熱体１と、本体２と、コントローラ３と、ケース４と、表面材５と、電力制御素子６と、制御基板７と、放熱板８と、温度センサ９とを備え、放熱板８の温度を検出することで、あらかじめ定めたしきい値の温度以上になった時に電力制御素子６の通電を停止することができるようになるので、ケース４上の表面材５の表面温度が所定の温度以上に上昇することがない面状採暖具となる。【選択図】図１
2007178021.tif 000002
【特許請求の範囲】
【請求項１】
発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記放熱板の温度を検出する温度センサとを備えた面状採暖具。
【発明の詳細な説明】
【技術分野】
【０００１】
本発明は面状採暖具に関するものである。
【背景技術】
【０００２】
従来、この種の面状採暖具は、発熱体を内蔵する本体と、発熱体の温度制御を行うコントローラを有し、発熱体から発する熱を利用して局部暖房に使用している。（例えば特許文献１参照）
図３は従来の面状採暖具を示すものである。図２に示すように、発熱体１１と、本体１２と、コントローラ１３と、ケース１４と、表面材１５と、電力制御素子１６と、制御基板１７と、放熱板１８から構成されている。
【特許文献１】特開平８−２３３２９８号公報
【発明の開示】
【発明が解決しようとする課題】
【０００３】
しかしながら、前記従来の構成では、電力制御素子１６から発生する熱がケース１４内部にこもらないように、電力制御素子１６に接続された放熱板１８の一部がケース１４の開口部を介してケース１４と表面材１５との間に取り付けられ、ケース１４外部に熱を放出しているため、電力制御素子１８の通電時間と発熱量の条件等によっては放熱板１８が非常に高温になることにより、ケース１４上の表面材１５の表面温度が適温以上に上昇する可能性があるという課題を有していた。
【０００４】
本発明は前記従来の課題を解決するもので、放熱板１８の一部がケース１４の開口部を介してケース１４と表面材１５との間に取り付けられ、ケース１４外部に熱を放出している構成であっても、ケース１４上の表面材１５の表面温度が所定の温度以上に上昇することがない面状採暖具を提供することを目的とする。
【課題を解決するための手段】
【０００５】
前記従来の課題を解決するために、本発明の面状採暖具は、放熱板の温度を検出する温度センサを設ける構成にしたものである。
【０００６】
これによって、放熱板の温度を検出し、あらかじめ定めたしきい値の温度以上になった時に電力制御素子の通電を停止するようにできるため、ケース上の表面材の表面温度が所定の温度以上に上昇することがないようにすることが可能となる。
【発明の効果】
【０００７】
本発明の面状採暖具は、放熱板の温度を検出する温度センサを設けることにより、  放熱板の温度を検出し、あらかじめ定めたしきい値の温度以上になった時に電力制御素子の通電を停止するようにすることで、ケース上の表面材の表面温度が所定の温度以上に上昇することがないようにすることができる。
【発明を実施するための最良の形態】
【０００８】
第１の発明は、発熱体と、前記発熱体を内蔵する本体と、前記発熱体の温度制御を行うコントローラと、前記コントローラの外郭を成し、前記本体に取り付けられたケースと、前記ケースの上面の一部を覆う表面材と、前記ケースに内蔵され、前記発熱体に電力を供給し制御する電力制御素子と、前記電力制御素子を搭載し制御する制御基板と、前記電力制御素子に一部を接続され、また別の一部が前記ケースの開口部を介して前記ケースの外側で前記ケースと前記表面材との間に取り付けられた放熱板と、前記放熱板の温度を検出
する温度センサとを備えた構成とすることにより、前記放熱板の温度を検出し、あらかじめ定めたしきい値の温度以上になった時に前記電力制御素子の通電を停止することが可能となり、前記ケース上の前記表面材の表面温度が所定の温度以上に上昇することがないようにすることができる。
【０００９】
以下本発明の実施の形態について、図面を参照しながら説明する。なお、本実施の形態によって本発明が限定されるものではない。
【００１０】
（実施の形態１）
図１は本発明の第１の実施の形態における面状採暖具の構成図である。
【００１１】
図１において、１は発熱体、２は発熱体１を内蔵する本体、３は発熱体１の温度制御を行うコントローラ、４はコントローラ３の外郭を成し、本体２に取り付けられたケース、５はケース４の上面の一部を覆う表面材、６はケース４に内蔵され、発熱体１に電力を供給し制御する電力制御素子、７は電力制御素子６を搭載し制御する制御基板、８は電力制御素子６に一部を接続され、また別の一部がケース４の開口部を介してケース４の外側でケース４と表面材５との間に取り付けられた放熱板、９は放熱板８の温度を検出する温度センサである。  
【００１２】
以上のように構成された面状採暖具について以下その動作、作用を説明する。
【００１３】
まず、電力制御素子６から発生する熱を放出する放熱板８の温度を温度センサ９によって検出する。そして温度センサ９が検出した温度を制御基板７があらかじめ定められたしきい値の温度と比較し、しきい値の温度以下であれば電力制御素子６の通電を継続し、しきい値の温度以上であれば電力制御素子６の通電を停止するようになっていて、ケース４上の表面材５の表面温度が所定の温度以上に上昇することがないようにすることができる。
【００１４】
以上のように、本実施の形態においては、発熱体１と、発熱体１を内蔵する本体２と、発熱体１の温度制御を行うコントローラ３と、コントローラ３の外郭を成し、本体２に取り付けられたケース４と、ケース４の上面の一部を覆う表面材５と、ケース４に内蔵され、発熱体１に電力を供給し制御する電力制御素子６と、電力制御素子６を搭載し制御する制御基板７と、電力制御素子６に一部を接続され、また別の一部がケース４の開口部を介してケース４の外側でケース４と表面材５との間に取り付けられた放熱板８と、放熱板８の温度を検出する温度センサ９とを備えた構成とすることにより、放熱板８の温度を検出し、あらかじめ定めたしきい値の温度以上になった時に電力制御素子６の通電を停止することが可能となるため、ケース４上の表面材５の表面温度が所定の温度以上に上昇することがない面状採暖具とすることができる。
【００１５】
なお、本実施の形態においては、表面材５は本体２と一体とし、また制御基板７の数は１つとしたが、表面材５と本体２が独立している場合、及び制御基板７の数が２つ以上に分割されている場合においても同様である。
【産業上の利用可能性】
【００１６】
以上のように、本発明にかかる面状採暖具は、放熱板の温度を検出し、あらかじめ定めたしきい値の温度以上になった時に電力制御素子の通電を停止することにより、ケース上の表面材の表面温度が所定の温度以上に上昇することがないようにすることが可能となるので、一部をケース外部に設けることで、ケース外部に熱を放出する構成となっている放熱板を有する他の機器の快適性の向上等の用途にも適用できる。
【図面の簡単な説明】
【００１７】
【図１】本発明の実施の形態１の面状採暖具の構成図
【図２】従来の面状採暖具の構成図
【符号の説明】
【００１８】
１  発熱体
２  本体
３  コントローラ
４  ケース
５  表面材
６  電力制御素子
７  制御基板
８  放熱板
９  温度センサ
【図１】
2007178021.tif 000003
【図２】
2007178021.tif 000004